(57)【要約】【課題】特にＲ３０００仕立ての茶畝において摘採作業を行う際、摘採機後方に取り付けた茶袋を全体的に常に畝上に位置させるようにした新規な茶葉摘採機を提供する。【解決手段】刈刃２３を有した摘採機ユニット３の後方に茶袋４を取り付け、刈刃２３によって収穫した茶葉Ａを空気流によって移送し、茶袋４内に収容するようにした摘採機であって、摘採作業中は、後方に取り付けた茶袋４を茶畝Ｔ上で擦り動かしながら作業を行うものであり、摘採機ユニット３には、茶畝Ｔのほぼ中央位置から後方に張り出す茶袋支持体３３を設け、茶袋４を装着する際には、茶袋４内に茶袋支持体３３を入れ込むように取り付け、この茶袋支持体３３によって茶袋４の中央側端縁部４Ａを内側から支え、摘採作業中、茶袋４の後端部が畝裾側の畝間にずり落ちるのを防止するようにしたことを特徴とする。【選択図】      図１
2004248633.tif 000002
【特許請求の範囲】
【請求項１】
刈刃を有した摘採機ユニットの後方に茶袋を取り付け、刈刃によって収穫した茶葉を空気流によって移送し、茶袋内に収容するようにした装置であって、摘採作業中は、後方に取り付けた茶袋を茶畝上で擦り動かしながら作業を行う装置において、
前記摘採機ユニットには、茶畝のほぼ中央位置から後方に張り出す茶袋支持体を設け、茶袋を装着する際には、茶袋内に茶袋支持体を入れ込むように取り付け、茶袋支持体によって茶袋の中央側端縁部を支え、摘採作業中、茶袋の後端部が畝裾側の畝間にずり落ちるのを防止するようにしたことを特徴とする茶葉摘採機。
【請求項２】
前記摘採機ユニットは、走行装置を具えた台車ユニットに取り付けられることを特徴とする請求項１記載の茶葉摘採機。
【請求項３】
前記茶袋支持体は、畝裾端部において台車ユニットを操作する操作者側に接近離反自在に構成されることを特徴とする請求項２記載の茶葉摘採機。
【請求項４】
前記茶袋支持体は、刈刃後方において形成される風胴の一部を半径とした回動自在に形成されることを特徴とする請求項１、２または３記載の茶葉摘採機。
【発明の詳細な説明】
【０００１】
【発明の属する技術分野】
本発明は、自走式歩行型の茶葉摘採機等に関するものであって、特に上面の仕立てが約Ｒ３０００の茶畝において、摘採作業中、茶袋を畝上に位置させながら、擦り動かして行けるようにした新規な茶葉摘採機に係るものである。
【０００２】
【発明の背景】
例えば駆動輪１６Ａ′を具えた台車ユニット２′に対して、片面刈りの摘採機ユニット３′を取り付けた自走式歩行型の茶葉摘採機１′にあっては、刈刃２３′の後方に収穫した茶葉Ａを収容するための茶袋４′を取り付け、茶畝Ｔ上面を擦り動かしながら摘採作業を進めて行くものである。この際、茶袋４′は、内部に収容した茶葉Ａの重量や茶畝Ｔ上面の曲面Ｒ等により、後端部が畝裾側の畝間に落ち込むことが多かった。すなわち、この種の茶葉摘採機１′にあっては、図６に示すように、茶袋４′は刈刃２３′の直後方から畝裾端部に斜めに掛かり、最終的には、その後端部が畝間に落ち込んだ状態になり、この状態で茶畝Ｔ上を擦り動いて行くのが一般的であった。
ところで、従来の茶園は茶畝上面の仕立てがＲ１５００程度の曲率を有するものが主流であったが、現在ではＲ３０００程度の曲率を有するもの（以下「Ｒ３０００仕立て」という）が主流になりつつある。これは、茶葉収量（収穫量）が従来と同様に確保できることや、機械化の推進、発芽管理のし易さ等の観点から普及しているものと考えられる。
【０００３】
しかしながら、Ｒ３０００仕立ての茶畝Ｔの場合には、一例として図６の拡大図に二点鎖線で示すように、畝裾端部が鋭利な言わば角刈り状態になるため、茶袋４′の後端部が一旦畝間にずり落ちると、茶袋４′（内部）が急激に狭められ、茶葉Ａの収容効率が著しく低下するという問題があった。
更に、この茶袋４′と畝裾端部との引っ掛かりが強固であった場合には、その摺擦抵抗で自走式と言えども円滑な進行が行えない場合があった。このようなことから、特にＲ３０００仕立ての茶園の場合には、茶畝Ｔの上面が比較的平坦であることに着眼し、むしろ茶袋４′を完全に畝面上に載せてしまい、この状態で引きずりながら摘採作業を行う手法が求められていた。
【０００４】
なお従来の茶園では、畝上面の仕立Ｒが小さかったため、畝裾端部が比較的鋭角状にならず、このため茶袋４′の後端部が畝間に落ち込んでも、そのまま擦り動かすことができたと考えられる。またこのため、袋後端部のずり落ちを前提とした袋交換方法やけん引方法等については、案出されているものの、茶袋４′全体を畝上面に完全に載せながら、摘採を進めて行くという発想は全くなかった。また、この種の茶葉摘採機１′によってＲ３０００仕立ての茶園の摘採を行う場合には、通常、茶畝Ｔを挟んで二人の作業者が付き、左右から茶袋４′の交換作業を行うのが一般的であった。これは、走行体側の作業者は、茶畝中央の袋掛けが、行い難いため、反対側（非走行体側）の作業者が茶畝中央の袋掛けを行うためである。しかしながら、この種の摘採機では、走行体そのものの操作は一人の作業者で行えるため、作業者一人でも容易に茶袋の交換が行えることが併せて求められていた。
【０００５】
【開発を試みた技術的課題】
本発明は、このような背景を認識してなされたものであって、摘採機後方に取り付けた茶袋を全体的に常に畝上に位置させるようにし、且つ作業者一人でも茶袋の交換が容易に行えるようにした新規な茶葉摘採機の開発を試みたものである。
【０００６】
【課題を解決するための手段】
すなわち請求項１記載の茶葉摘採機は、刈刃を有した摘採機ユニットの後方に茶袋を取り付け、刈刃によって収穫した茶葉を空気流によって移送し、茶袋内に収容するようにした装置であって、摘採作業中は、後方に取り付けた茶袋を茶畝上で擦り動かしながら作業を行う装置において、前記摘採機ユニットには、茶畝のほぼ中央位置から後方に張り出す茶袋支持体を設け、茶袋を装着する際には、茶袋内に茶袋支持体を入れ込むように取り付け、茶袋支持体によって茶袋の中央側端縁部を支え、摘採作業中、茶袋の後端部が畝裾側の畝間にずり落ちるのを防止するようにしたことを特徴として成るものである。
この発明によれば、収穫中、茶袋支持体が茶袋の中央側端縁部を内側から支えるため、特にＲ３０００仕立ての茶畝において、茶袋を茶畝上面に安定した状態で保持することができ、摘採及び茶葉の収容が効率的に行える。
【０００７】
また請求項２記載の茶葉摘採機は、前記請求項１記載の要件に加え、前記摘採機ユニットは、走行装置を具えた台車ユニットに取り付けられることを特徴として成るものである。
この発明によれば、茶葉摘採機は、いわゆる自走式であるため、作業者一人でも摘採作業が容易に行える。
【０００８】
更にまた請求項３記載の茶葉摘採機は、前記請求項２記載の要件に加え、前記茶袋支持体は、畝裾端部において台車ユニットを操作する操作者側に接近離反自在に構成されることを特徴として成るものである。
この発明によれば、畝間にいる操作者に対し、茶袋支持体が接近離反自在に形成されるため、茶袋の交換が操作者一人でも容易に行える。
【０００９】
また請求項４記載の茶葉摘採機は、前記請求項１、２または３記載の要件に加え、前記茶袋支持体は、刈刃後方において形成される風胴の一部を半径とした回動自在に形成されることを特徴として成るものである。
この発明によれば、茶袋支持体の接近離反構造を具体的なものとする。
【００１０】
【発明の実施の形態】
以下本発明を図示の実施の形態に基づいて説明する。説明にあたっては、本発明の茶葉摘採機１の一例について説明した後、この摘採機の茶袋交換態様について説明しながら、併せて茶袋装着構造について説明する。本発明の茶葉摘採機１は、一例として図１に示すように、畝間を走行する台車ユニット２に対し、実質的に摘採作業を行う摘採機ユニット３を取り付けて成るものである。
【００１１】
まず台車ユニット２について説明する。このものは、摘採機ユニット３を茶畝Ｔの上面に位置させるように支持するとともに、この状態で摘採機ユニット３を茶畝Ｔに沿って進行させるものである。台車ユニット２は、例えば、ほぼ垂直に立ち上げられる角形断面等を有する長杆状部材１０を主要部材とし、このものの下端に走行装置１１が設けられるとともに、その途中に摘採機ユニット３を支持する摘採機支持ブラケット１２が昇降動自在に取り付けられる。
【００１２】
そして、この摘採機支持ブラケット１２には、ほぼ水平に延びる支持ステー１３が設けられるとともに、前記長杆状部材１０に沿って上方に立ち上がり、上部が支持ステー１３に沿って、ほぼ水平に張り出すような略Ｌ字状の吊持ステー１４が設けられる。そして前記摘採機ユニット３は、これら支持ステー１３と吊持ステー１４とによって支持され、昇降動はもちろん、吊持ステー１４からはモータシリンダ等を主要部材とする設定位置調整機構１５によって回動自在に支持される。
【００１３】
また前記走行装置１１としては、一例として空気タイヤを用いた車輪１６が適用され、ここでは作業進行方向の前側に駆動輪１６Ａ、後方に従動輪１６Ｂを配置する。もちろん走行装置１１としては、このようなタイヤ形式のものに限らず、クローラタイプのもの、あるいは茶畝Ｔ間にレール等が敷設されている場合には、レール上を転動する車輪等、適宜の手段が採り得る。また走行装置１１の上部には車輪１６を駆動するための原動機１７が設けられている。
【００１４】
更にこのような走行装置１１には、前記長杆状部材１０に沿って別の長杆状部材１８が立ち上げられ、これには前記支持ステー１３や吊持ステー１４に対向するように、一例として二股状のハンドル１９が取り付けられている。もちろん、このハンドル１９は、操作者（作業者）Ｍが摘採機ユニット３の操作状況を確認しながら走行操作が行えるようにしたものであり、操作者Ｍは後ずさりしながら進むような形態を採る。そして、このハンドル１９も摘採機ユニット３と同様に、長杆状部材１８に対し昇降動自在に取り付けられることが好ましい。
なお、台車ユニット２についての、これ以上の詳細は省略し、本出願人の出願に係る特開平５−３１６８５５「茶園管理台車」（特許第２６３０７１１号）、実開平６−４１４２４「茶園管理台車」（実用新案登録第２５８３９６９号）等を援用するものである。
【００１５】
次に摘採機ユニット３について説明する。このものは可搬式のものと基本構成を同じくするものであり、二人用可搬式摘採機の補助ハンドル２２（図１の二点鎖線）を取り外したような形態を採る。このことから、その基本構成は、常法に従い刈刃２３を畝幅方向に設け、これを内燃機関あるいは電動モータ等を適用した原動機２４によって駆動するものである。
なお刈刃２３は、ここでは一回の摘採で茶畝Ｔのほぼ片側反面を刈り取る、いわゆる片面刈りのものを図示している。そして、この刈刃２３の前方上方には、多数の分岐管を有する風送管２５を設け、ここには摘採作業時、前記原動機２４の駆動によって生起される移送風が供給され、摘採した茶葉Ａを後方の茶袋４に移送するものである。
【００１６】
また刈刃２３の直接後方には、摘採した茶葉Ａを後方の茶袋４に案内するガイド板２６が設けられるものであり、このガイド板２６は、前記刈刃２３とほぼ同じ幅寸法及び、ほぼ同じ曲面状に形成される。なおこのガイド板２６は、表面が凹凸状の波打ち状態に形成されることが好ましく、これは露葉（朝摘み等によって水分が付着した茶葉Ａ）でも効率的に収容するための構成である。
また刈刃２３（ガイド板２６）に対向して上方に摘採機フレーム２７を形成するものであり、このものとガイド板２６とを端部同士で接続する。なお、接続された左右双方の端部を側板２８とし、このうち茶畝Ｔの中央側に位置するものを側板２８Ａ、茶畝Ｔの裾側（操作者Ｍ側）に位置するものを側板２８Ｂとする。
【００１７】
またガイド板２６と、摘採機フレーム２７と、二つの側板２８Ａ、２８Ｂとによって取り囲まれる部位を風胴２９とするものであり、ここには、茶袋４が臨むように装着される。このため、風胴２９の吐出端周囲には茶袋４を装着するための、複数の係止フック３０が形成される。
また茶袋４を風胴２９に取り付けた状態で、茶袋４における茶畝中央部に位置する端縁部つまり側板２８Ａ側の中央側端縁部を４Ａとし、畝裾端部に位置する端縁部つまり側板２８Ｂ側の畝裾側端縁部を４Ｂとする。更にまた茶袋４の受入開口端を４Ｃとする。
【００１８】
そして本発明にあっては図１、２に示すように、茶畝Ｔのほぼ中央部、すなわち風胴２９における側板２８Ａ側に、茶袋支持体３３を後方に向かって張り出し状態に設けるものであり、風胴２９に茶袋４を取り付けるにあたっては、茶袋支持体３３を茶袋４内に差し込むように装着することで、摘採作業中、茶袋４の中央側端縁部４Ａを内側から支え、茶袋４の後端部が畝裾端部側にずり落ちるのを阻止している。また、このため茶袋４は、常時、茶畝Ｔ上に安定的に位置しながら、茶畝Ｔ上を擦り動いて行くものである。
なお、ここで「茶袋４の擦り動き」とは、主に茶袋４（底部）が全体的に茶畝Ｔに接しながら移動して行く状態を示すが、例えばガイド板１６をやや長め（例えば茶袋長の半分程度）に形成し、ガイド板１６を半ば茶袋４の支持部材としても使用する場合には、主として茶袋４の後半部分が茶畝Ｔに接しながら動くものであり、このように茶袋４の一部でも茶畝Ｔと擦れるような場合も上記「擦り動き」状態に含めるものとする。
【００１９】
なお茶袋後端部（畝裾側端縁部４Ｂ）のずり落ちを、より確実に防止するためには、茶袋支持体３３を極力長く形成した方が好ましいが、あまり長すぎても取り扱い等が不便になるため、ここでは、概ね茶袋長の約４１％程度の長さに形成している。
また茶袋支持体３３は、ここでは、丸パイプ部材を略コ字状の枠型に折り曲げて形成するものであるが、アルミ等の軽量の板部材等によって形成することも可能である。
【００２０】
本発明では、このように、茶畝Ｔのほぼ中央部に茶袋支持体３３を張り出し状態に設けるものであるが、単に茶袋支持体３３を形成しただけでは、茶袋４の交換が極めて行い難くなることが考えられる。すなわち、茶袋支持体３３が、ほぼ茶畝Ｔの中央部に突出するために、このままでは、茶袋支持体３３を茶袋４の中に入れ込む作業や、あるいは茶袋支持体３３を茶袋４から抜く作業等が、茶畝Ｔのほぼ中央部で行わざるを得ず、これらは畝間にいる操作者Ｍ、特に操作者Ｍが一人で茶袋４の交換までを行う場合には、大変やり難い作業となる。このため、本実施の形態では、茶葉摘採機１を走行させる操作者Ｍ側（側板２８Ｂ側）に、茶袋支持体３３を適宜近づけられるようにしている。
【００２１】
具体的には、茶袋支持体３３の張出基端部に、風胴２９の上下に沿う連結バー３４を設け、このバーの他端部を摘採機フレーム２７及びガイド板２６に対し、回動自在に取り付けることで、茶袋支持体３３を操作者Ｍ側に適宜接近離反（回動）できるようにしている。ここで連結バー３４を上下で区別する場合には、上側のものを連結バー３４Ａ、下側のものを連結バー３４Ｂとする。また連結バー３４の回動支点を３５とする。
また茶袋支持体３３の張出基端部には、側板２８Ａに対し別の側板３６がオーバーラップするように形成され、移送中の茶葉Ａが茶袋支持体３３と側板２８Ａとの間から逃げ出ないように構成されている。もちろん茶袋支持体３３に設けられる側板３６の外方側には、茶袋４を取り付けるための係止フック３０が形成されている。なお側板３６は、茶袋支持体３３を風胴２９にセットし易いこと、あるいは側板２８Ａへの重ね合わせが容易に行えること等を考慮して、先端側が外方に傾斜するように形成されており、ここをガイド部３６ａとする。
【００２２】
そして上側の連結バー３４Ａと摘採機フレーム２７とには、茶袋支持体３３を茶畝Ｔのほぼ中央にセットした状態で維持するロック機構３９が設けられる。このロック機構３９は、一例として図３に示すように、掛止凸部４２を有する略ピン状の掛止体４０と、この掛止凸部４２を受け入れる掛止溝４３が形成された被掛止体４１とを具えて成るものである。
掛止体４０は、例えば掛止凸部４２が畝幅方向に摺動自在に形成され、常時、側板２８Ａ側に接近するように、スプリング等によって付勢されている。またこの掛止体４０は、例えば全体的に略「十」字状に形成され、部材の途中から上下に突出する部分が掛止凸部４２となり、部材の端部に、この掛止凸部４２を摺動させるための操作部４４が突出状態に形成される。
【００２３】
一方、被掛止体４１は、略三角形状の板材で、連結バー３４Ａ（摘採機フレーム２７）を挟むように上下に形成されるとともに、前記掛止凸部４２を受け入れるための掛止溝４３が、ほぼ畝幅方向に沿って形成される。なお、この被掛止体４１には、茶袋支持体３３を茶畝Ｔのほぼ中央にセットする（嵌め込む）際、側板２８Ａ側に付勢された掛止凸部４２を側板２８Ｂ側に摺動させ得る傾斜面４５が形成されている。また被掛止体４１も、前記側板３６と同様に、摘採機フレーム２７を受け入れ易いように、先端側が上下に幾分拡がった拡開状態に形成され、ここをガイド部４１ａとする。
【００２４】
なお掛止体４０の操作部４４は、畝裾側（走行装置１１側）にいる操作者Ｍが腕を伸ばした状態で手が届く範囲内に設けられるが、操作者Ｍにしてみれば茶袋支持体３３のロック解除は、掛止体４０（操作部４４）を引っ張るだけで良いので、適宜ワイヤ、ロープ、紐などを操作部４４から側板２８Ｂ付近まで設けておき、ワイヤ等をその場で引っ張り、ロックを解除するような形態も可能である。また本実施の形態では、ガイド板２６が二重に形成されるとともに、下の連結バー３４Ｂが板状に形成され、ガイド板２６の間に連結バー３４Ｂを格納できるように構成されている。
【００２５】
本発明の茶葉摘採機１は、以上のような基本構造を有するものであり、以下、この茶葉摘採機１における茶袋４の交換態様について説明しながら、併せて茶袋装着構造について説明する。なお説明にあたっては、ハンドル１９を持つ一人の操作者Ｍが茶袋４の交換作業までを全て行う場合について説明する。また茶葉摘採機１の始発状態としては、既に茶袋４を摘採機に装着した状態を始発状態とする。またこの状態での作業中、茶袋支持体３３は風胴２９の側板２８Ａ側にセットされ、且つこれがロックされた状態となっている。更に、このとき茶袋４は畝裾側端縁部４Ｂが茶畝Ｔからずり落ちることなく、茶畝Ｔ上を円滑に擦り動いて行き、茶葉Ａの摘採や、その収容等が安定して行えるものである。
【００２６】
（１）ロック機構の解除
例えば操作者Ｍが腕を伸ばしてロック機構３９の掛止体４０（操作部４４）を手前側に引き、掛止状態にある掛止凸部４２を掛止溝４３から引き抜いて、茶袋支持体３３のロックを解除する（図３参照）。なおこのような操作は、図４（ａ）に示すように、操作者Ｍがハンドル１９側から摘採機ユニット３（摘採機支持ブラケット１２）側に場所を移動して行うのが一般的であるが、ハンドル１９を握っていた場所から、直接、腕を伸ばして作業できる場合には、もちろん、その場所で行っても構わない。
【００２７】
（２）茶袋支持体の回動（接近）
ロック機構３９を解除したら、図４（ｂ）に示すように、茶袋支持体３３を操作者Ｍ側に接近するように回動させる。なお、この操作は、茶袋支持体３３や連結バー３４を直接握って手前側に回動させてもよいが、連結バー３４等が直接、把持し難い場合には、茶葉Ａを収容した茶袋４を引っ張って、茶袋支持体３３を回動させるようにしても良い。
【００２８】
（３）茶袋（収容済）の取り外し
茶袋支持体３３の回動に伴い、茶袋４の受入開口端４Ｃは平面視、略「く」の字状となり、摘採作業時に、ほぼ茶畝Ｔの中央部に位置していた茶袋４の中央側端縁部４Ａが操作者Ｍ側に接近する。このようにして、茶袋支持体３３を充分操作者Ｍ側に接近させた後（図４（ｃ）参照）、この状態で、茶袋４の受入開口端４Ｃを係止フック３０から外し、更に茶袋支持体３３を茶袋４から抜くように外す。この際、茶袋支持体３３が操作者Ｍの近くに位置しているため、一人でも茶袋４の取り外しが容易に行える。
【００２９】
（４）茶袋の受入開口端閉鎖
そして茶葉摘採機１から茶袋４を外すと、今度は、茶袋４の受入開口端４Ｃを閉鎖し、枕地等に載置する。なお茶葉収容済の茶袋４は、全ての摘採作業が終了した後、トラック等によって、まとめて回収される。
【００３０】
（５）茶袋（未収容）の装着
次いで、茶袋支持体３３が操作者Ｍ側に充分接近した、この状態で、茶葉摘採機１に未収容の茶袋４を装着する。これには、まず茶袋支持体３３を茶袋４に入れ込むようにするとともに、茶袋４の受入開口端４Ｃ側を順次、係止フック３０に係合させる。この際、茶袋支持体３３が操作者Ｍの近くに位置しているため、一人でも茶袋４の取り付けが容易に行える。
【００３１】
（６）茶袋支持体の回動（離反）
茶袋４の受入開口端４Ｃを係止フック３０に取り付けた後、今度は、茶袋支持体３３を操作者Ｍから離反する方向、すなわち風胴２９の側板２８Ａ側に接近するように回動させる。なお、このときの茶袋支持体３３の移動状況は、上記図４（ｃ）から（ｂ）と同様である。
【００３２】
（７）茶袋支持体のロック
なお茶袋支持体３３の回動は、掛止凸部４２が掛止溝４３に掛止するまで押し込まれる。この際、まず掛止体４０の掛止凸部４２は、被掛止体４１の傾斜面４５と当接するが、掛止凸部４２は、この傾斜に沿って幾分、畝裾側（操作者Ｍ側）に移動する。そして、被掛止体４１の接近（回動）に伴い、掛止溝４３が掛止凸部４２を受け入れ得る位置まで押し込まれると、掛止凸部４２は側板２８Ａ側への付勢力によって、掛止溝４３に嵌まり込むように摺動する。この状態で、茶袋支持体３３が茶畝Ｔのほぼ中央位置でロックされる。また、この状態で、茶袋４の中央側端縁部４Ａが、茶袋支持体３３によって内側から支えられ、このため茶袋４の畝裾側端縁部４Ｂは、操作者Ｍ側の畝間に落ち込むことが阻止されるものである。
なおここで述べた茶袋４の交換作業は、走行装置１１をコントロールする操作者Ｍ一人で行う形態を述べたが、例えば専ら茶袋４の交換作業を行う別の作業者が摘採機ユニット３の側傍に付き、二人一組となって摘採作業を行うことも可能である。
【００３３】
【他の実施の形態】
本発明は以上述べた実施の形態を一つの基本的な技術思想とするものであるが、更に次のような改変が考えられる。すなわち先の実施の形態は、茶袋支持体３３を操作者Ｍ側に接近離反自在に構成するにあたり、茶袋支持体３３を回動自在に形成したが、この他にも例えば図５に示すように、茶袋支持体３３を摘採機フレーム２７（風胴２９）に沿って、幅方向に摺動自在に形成し、操作者Ｍ側への接近離反を実現することも可能である。
また上述した基本の実施の形態では、主に片面刈の摘採機ユニット３を図示したが、一回の摘採作業で茶畝Ｔのほぼ全面を刈り取る、いわゆる全面刈りの摘採機ユニットを台車ユニット２に取り付けることも可能である。
【００３４】
更にまた上述した基本の実施の形態では、摘採機ユニット３を台車ユニット２に取り付けた、いわゆる自走式歩行型の茶葉摘採機１を図示したが、台車ユニット２を設けない、いわゆる可搬式の茶葉摘採機１にも上述した茶袋装着構造を採用することも可能である。もちろん、このような可搬式の場合には、補助ハンドル２２を設け、二人の作業者が一つの茶畝Ｔを挟むように茶葉摘採機１を保持して、摘採作業を行うものである。
なお現状、他形態のレール走行式や乗用式等の茶畝跨走型茶葉摘採機にあっては、摘採した茶葉Ａを後方の茶袋４に収容する場合、茶袋４を載せる袋台等が設けられることが多いため、上述した茶袋支持体３３を適用する必然性は低いものと考えられる。しかしながら、今後、このようなレール走行式や乗用式等の茶畝跨走型茶葉摘採機であっても、より簡易化が要求されて、袋台の省略を考慮することが必要となった場合や、袋台を設けても茶袋４の位置決めをより確実に行いたい場合等には、茶袋支持体３３を適用することも、もとより可能である。
【００３５】
【発明の効果】
この発明によれば、摘採作業中、茶袋４は、その中央側端縁部４Ａが茶袋支持体３３によって内側から支えられるため、特に現在普及しつつあるＲ３０００仕立ての茶畝Ｔでの作業において、茶袋４の後端部が畝間にずり落ちてしまうことがなく、茶葉Ａの収容等が能率的に行える。また走行装置１１を操縦する操作者Ｍに対して、茶袋支持体３３を接近離反自在に構成することにより、操作者Ｍ一人でも容易に茶袋４の交換が行える。
【図面の簡単な説明】
【図１】本発明の茶葉摘採機を示す斜視図、並びに摘採作業中の茶袋の様子を摘採機背面側から示す説明図である。
【図２】同上平面図である。
【図３】茶畝のほぼ中央にセットされた茶袋支持体を、操作者側に回動させる様子を段階的に示す説明図である。
【図４】摘採機ユニットの後方に装着した茶袋を取り外す様子を段階的に示した骨格的平面図である。
【図５】茶袋支持体を摘採機フレームに沿って摺動自在に形成し、操作者側への接近離反を実現した茶葉摘採機を示す斜視図である。
【図６】従来の自走式歩行型の茶葉摘採機を示す骨格的に示す斜視図、並びに摘採作業中の茶袋の様子を摘採機背面側から示す説明図である。
【符号の説明】
１      茶葉摘採機
２      台車ユニット
３      摘採機ユニット
４      茶袋
４Ａ    中央側端縁部
４Ｂ    畝裾側端縁部
４Ｃ    受入開口端
１０    長杆状部材（主要）
１１    走行装置
１２    摘採機支持ブラケット
１３    支持ステー
１４    吊持ステー
１５    設定位置調整機構
１６    車輪
１６Ａ  駆動輪
１６Ｂ  従動輪
１７    原動機（車輪駆動用）
１８    長杆状部材（ハンドル支持用）
１９    ハンドル
２２    補助ハンドル
２３    刈刃
２４    原動機（刈刃駆動用）
２５    風送管
２６    ガイド板
２７    摘採機フレーム
２８    側板
２８Ａ  側板（中央部側）
２８Ｂ  側板（畝裾端部側）
２９    風胴
３０    係止フック
３３    茶袋支持体
３４    連結バー
３４Ａ  連結バー（上側）
３４Ｂ  連結バー（下側）
３５    回動支点
３６    側板（オーバーラップ状）
３６ａ  ガイド部
３９    ロック機構
４０    掛止体
４１    被掛止体
４１ａ  ガイド部
４２    掛止凸部
４３    掛止溝
４４    操作部
４５    傾斜面
Ａ      茶葉
Ｍ      操作者
Ｔ      茶畝
【図１】
2004248633.tif 000003
【図２】
2004248633.tif 000004
【図３】
2004248633.tif 000005
【図４】
2004248633.tif 000006
【図５】
2004248633.tif 000007
【図６】
2004248633.tif 000008